(57)【要約】      （修正有）【課題】電動リールにおいて、釣り糸の繰り出し時に十分な制動力を付与した状態でもモータによる糸巻き上げ時の回転抵抗を抑制する制動機構と操作部の提供。【解決手段】電動リールは、リール本体と、スプールと、モータと、ワンウェイクラッチ２０と、制動機構３０と、操作部材４０と、を備えている。スプールは、リール本体に回転可能に設けられている。モータは、リール本体に設けられ、スプールを回転駆動する。ワンウェイクラッチ２０は、リール本体に設けられ、スプールの糸繰り出し方向の回転のみを伝達する。制動機構３０は、ワンウェイクラッチ２０からの回転に制動力を作用させる。操作部材４０は、リール本体に移動可能に設けられ、移動により制動力を調節する。【選択図】図２
2019146497.tif 000002
【特許請求の範囲】
【請求項１】
リール本体と、
前記リール本体に回転可能に設けられたスプールと、
前記リール本体に設けられ、前記スプールを回転駆動するモータと、
前記リール本体に設けられ、前記スプールの糸繰り出し方向の回転のみを伝達するワンウェイクラッチと、
前記ワンウェイクラッチからの回転に制動力を作用させる制動機構と、
前記リール本体に移動可能に設けられ、移動により前記制動力を調節するための操作部材と、
を備えた、電動リール。
【請求項２】
前記操作部材は、前記リール本体に対して回動可能であり、回動により前記制動力を調整する、
請求項１に記載の電動リール。
【請求項３】
前記制動機構は前記ワンウェイクラッチの外輪と前記操作部材との間に配置された摩擦プレートを備え、
前記操作部材は、移動により前記摩擦プレートが前記ワンウェイクラッチの外輪を押圧する押圧力を調整する、
請求項１又は２に記載の電動リール。
【請求項４】
前記スプールの回転に連動して回転する軸部材をさらに備え、
前記ワンウェイクラッチは、前記軸部材に装着されている、
請求項１から３のいずれか１項に記載の電動リール。
【請求項５】
前記軸部材は、前記スプールと一体的に回転するスプール軸である、
請求項４に記載の電動リール。
【請求項６】
前記軸部材は、前記スプールに釣り糸を均一に巻き付けるための往復移動機構を構成するトラバースカム軸である、
請求項４に記載の電動リール。
【請求項７】
前記軸部材の軸方向に移動可能に設けられ、軸方向の移動により前記制動力を調整する調整部材をさらに備え、
前記操作部材は、前記調整部材に取り付けられ、前記調整部材の回転方向に前記調整部材とともに回動可能である、
請求項４から６のいずれか１項に記載の電動リール。
【請求項８】
前記ワンウェイクラッチの外輪を前記調整部材に向けて付勢する付勢部材をさらに備えた、
請求項７に記載の電動リール。
【請求項９】
前記リール本体に設けられ、前記モータの出力を調整するための出力調整部材をさらに備えた、
請求項１から８のいずれか１項に記載の電動リール。
【請求項１０】
前記操作部材はレバー形状を有する、
請求項１から９のいずれか１項に記載の電動リール。
【請求項１１】
前記リール本体に前記スプールを回転駆動するハンドルをさらに備え、
前記操作部材は前記スプールを挟んで前記ハンドルと逆側の前記リール本体に設けられる、
請求項１から１０のいずれか１項に記載の電動リール。
【発明の詳細な説明】
【技術分野】
【０００１】
本発明は、電動リールに関する。
【背景技術】
【０００２】
一般に、釣り糸巻き上げ時のスプールの回転をモータで行う電動リールは、スプールドラグ機構を備えている。スプールドラグ機構は、スプールの回転を制動する機構であり、仕掛けの落下速度の調整、及びバックラッシュを防止するために設けられている。
【先行技術文献】
【特許文献】
【０００３】
【特許文献１】特開２０１６−０１９５５１号公報
【発明の概要】
【発明が解決しようとする課題】
【０００４】
近年では、疑似餌を用いる釣にも電動リールが用いられる。このような釣では疑似餌を落下させている間に魚がかかると、即座にモータによる巻き上げ操作に移る必要がある。
ところが、釣り糸をモータで巻き上げる場合は、ハンドルで釣り糸を巻き上げる場合と比べて、スプールに制動力が作用していることに気付きにくい。すなわち、特許文献１の電動リールでは、魚のアタリに合わせて即座にモータによる巻き上げ操作を行った場合、釣り人はスプールドラグ機構によって制動力が作用していることに気づきにくい。制動力が作用していることに気づかないままモータによる巻き上げを続けると、スプールドラグ機構が発熱・磨滅したり、モータに過負荷がかかってブレーカが作動する恐れがある。また、バッテリーの電力を無駄に消費してしまう。
【０００５】
本発明の課題は、電動リールにおいて、釣り糸の繰り出し時に十分な制動力を付与した状態でもモータによる糸巻き上げ時の回転抵抗を抑制することにある。
【課題を解決するための手段】
【０００６】
本発明の一側面に係る電動リールは、リール本体と、スプールと、モータと、ワンウェイクラッチと、制動機構と、操作部材と、を備えている。スプールは、リール本体に回転可能に設けられている。モータは、リール本体に設けられ、スプールを回転駆動する。ワンウェイクラッチは、リール本体に設けられ、スプールの糸繰り出し方向の回転のみを伝達する。制動機構は、ワンウェイクラッチからの回転に制動力を作用させる。操作部材は、リール本体に移動可能に設けられ、移動により制動力を調節する。
【０００７】
この電動リールでは、ワンウェイクラッチから伝達されるスプールの糸繰り出し方向の回転のみが制動機構によって制動される。すなわち、糸巻き上げ時には制動機構によってスプールの回転が制動されない。このため、制動機構によって釣り糸の繰り出し時に十分な制動力を付与した状態でも糸巻き上げ時のスプールに作用する回転抵抗を抑制することができる。
【０００８】
好ましくは、操作部材は、リール本体に対して回動可能であり、回動により制動力を調整する。この場合は、操作部材によって制動機構の制動力を容易に調整できる。
【０００９】
好ましくは、制動機構はワンウェイクラッチの外輪と操作部材との間に配置された摩擦プレートを備え、操作部材は、移動により摩擦プレートがワンウェイクラッチの外輪を押圧する押圧力を調整する。
【００１０】
好ましくは、スプールの回転に連動して回転する軸部材をさらに備え、ワンウェイクラッチは、軸部材に装着されている。この場合は、軸部材の回転を制動することで、スプールの回転を制動することができる。
【００１１】
好ましくは、軸部材は、スプールと一体的に回転するスプール軸である。
【００１２】
好ましくは、軸部材は、スプールに釣り糸を均一に巻き付けるための往復移動機構を構成するトラバースカム軸である。
【００１３】
好ましくは、軸部材の軸方向に移動可能に設けられ、軸方向の移動により制動力を調整する調整部材をさらに備え、操作部材は、調整部材に取り付けられ、調整部材の回転方向に調整部材とともに回動可能である。
【００１４】
好ましくは、ワンウェイクラッチの外輪を調整部材に向けて付勢する付勢部材をさらに備えている。
【００１５】
好ましくは、リール本体に設けられ、モータの出力を調整するための出力調整部材をさらに備えている。
【００１６】
好ましくは、操作部材はレバー形状を有している。
【００１７】
好ましくは、リール本体にスプールを回転駆動するハンドルをさらに備え、操作部材はスプールを挟んでハンドルと逆側のリール本体に設けられている。
【発明の効果】
【００１８】
本発明によれば、電動リールにおいて、釣り糸の繰り出し時に十分な制動力を付与した状態でもモータによる糸巻き上げ時の回転抵抗を抑制することができる。
【図面の簡単な説明】
【００１９】
【図１】第１実施形態に係る電動リールの斜視図。
【図２】第１実施形態に係る制動機構の断面図。
【図３】第２実施形態に係る電動リールの斜視図。
【図４】第２実施形態に係る制動機構の断面図。
【発明を実施するための形態】
【００２０】
［第１実施形態］
本発明の一実施形態を採用した電動リール１００は、外部電源から供給された電力によりモータ駆動される電動リールである。また、電動リール１００は、糸繰り出し長さ又は糸巻き取り長さに応じて仕掛けの水深を表示する水深表示機能を有する。なお、以下の説明において、釣りを行うときに、釣り糸が繰り出される方向を前、その反対方向を後という。また、スプール軸１０（図２参照）が延びる方向を軸方向という。
【００２１】
電動リール１００は、図１及び図２に示すように、リール本体２と、スプール３、モータ４と、ワンウェイクラッチ２０と、制動機構３０と、操作部材４０と、を主に備えている。
【００２２】
リール本体２は、フレーム６と、フレーム６の一方側を覆う第１側カバー７と、フレーム６の他方側を覆う第２側カバー８と、フレーム６の前部を覆う図示しない前カバーと、を有している。第１側カバー７は、軸方向外側に突出するボス部７ａを有している。
【００２３】
リール本体２の第１側カバー７側には、ハンドル５が回転自在に設けられている。リール本体２の内部には、スプール３に連動して動作する図示しない往復移動機構や、モータ４及びハンドル５の回転をスプール３に伝達する図示しない回転伝達機構等が設けられている。
【００２４】
スプール３は、第１側カバー７と第２側カバー８との間で、リール本体２に回転自在に装着されている。スプール３は、リール本体２に回転可能に支持されたスプール軸１０に支持されている。スプール軸１０は、スプール３の回転に連動して回転する。本実施形態では、スプール軸１０は、スプール３を軸方向に貫通してスプール３と一体的に回転する。なお、スプール軸１０の一端は、第１側カバー７のボス部７ａの内周部に設けられた軸受９に回転自在に支持されている。
【００２５】
モータ４は、リール本体２の内部に設けられている。モータ４は、スプール３を回転駆動する。モータ４は、リール本体２の上部に設けられた出力調整部材１１の操作に応じて、スプール３を糸巻き取り方向に回転駆動する。
【００２６】
出力調整部材１１は、水深表示用のカウンタケース１２に設けられている。出力調整部材１１は、圧力センサを有する押圧操作部材であり、押圧操作部材が押圧される押圧力に応じて、モータ４の出力が増加、又は減少する。
【００２７】
カウンタケース１２には、水深表示用の表示部１２ａや、電動リール１００の各種設定をする際に使用される操作スイッチ１２ｂが設けられている。また、カウンタケース１２の内部には、電動リール１００の各種の制御を行う図示しない制御部が収容されている。
【００２８】
ワンウェイクラッチ２０は、リール本体２に設けられ、スプール３の糸繰り出し方向の回転のみを伝達する。ワンウェイクラッチ２０は、図２に示すように、スプール軸１０に装着されている。ワンウェイクラッチ２０は、外輪２１と、複数の転動体２２と、を有している。
【００２９】
外輪２１は、リール本体２に対して回転可能に第１側カバー７のボス部７ａの内周部に設けられている。外輪２１の外周面とボス部７ａの内周面との間には隙間が設けられている。
【００３０】
転動体２２は、外輪２１とスプール軸１０との間に設けられている。転動体２２は、スプール軸１０の糸繰り出し方向の回転のみを外輪２１に伝達する。すなわち、転動体２２は、スプール軸１０の糸巻き取り方向の回転を外輪２１に伝達しない。
【００３１】
制動機構３０は、ワンウェイクラッチ２０からの回転に制動力を作用させる。すなわち、制動機構３０は、ワンウェイクラッチ２０の外輪２１の糸繰り出し方向の回転に制動力を作用させる。制動機構３０は、調整部材３１と、第１摩擦プレート３２と、第２摩擦プレート３３と、付勢部材３４と、を有している。
【００３２】
調整部材３１は、リール本体２に軸方向に移動可能に設けられ、軸方向の移動により外輪２１に作用する制動力を調整する。調整部材３１は、有底筒状の部材であり、内周面に形成された雌ねじが第１側カバー７のボス部７ａの外周面に形成された雄ねじに螺合する。これにより、調整部材３１を回転させると、調整部材３１がリール本体２に対して軸方向に移動する。
【００３３】
第１摩擦プレート３２及び第２摩擦プレート３３は、軸方向において、外輪２１を挟持するように配置されている。第１摩擦プレート３２及び第２摩擦プレート３３によって外輪２１が押圧され、外輪２１の回転が制動されている。
【００３４】
付勢部材３４は、外輪２１を調整部材３１に向けて付勢する。詳細には、付勢部材３４は、第２摩擦プレート３３を介して外輪２１を調整部材３１の底部に配置された第１摩擦プレート３２に向けて付勢している。
【００３５】
操作部材４０は、リール本体２に移動可能に設けられ、移動により第１及び第２摩擦プレート３２，３３が外輪２１を押圧する押圧力を調整する。本実施形態では、操作部材４０は、径方向に延びたレバー形状の部材であり、調整部材３１に取り付けられ、調整部材３１の回転方向に調整部材３１とともに回動可能である。操作部材４０は、調整部材３１に一体回転可能かつ着脱可能に、調整部材３１の外周部に取り付けられている。操作部材４０をリール本体２に対して回動させると、調整部材３１が軸方向に移動して、第１及び第２摩擦プレート３２，３３が外輪２１を押圧する押圧力が変化する。
【００３６】
上記構成の電動リール１００では、釣り糸をスプール３から繰り出す時において、制動機構３０は、ワンウェイクラッチ２０の外輪２１の糸繰り出し方向の回転に制動力を作用させる。これにより、スプール軸１０の糸繰り出し方向の回転が制動され、スプール軸１０に一体的に回転するスプール３の回転が制動される。
【００３７】
一方、釣り糸を巻き取る時において、スプール軸１０の糸巻き取り方向の回転は外輪２１に伝達されない。すなわち、制動機構３０からの制動力はスプール軸１０に作用しないので、糸巻き上げ時には制動機構３０によってスプール３の回転が制動されない。これにより、糸の繰り出し時に十分な制動力を付与した状態でも、モータ４による糸巻き上げ時の回転抵抗を抑制することができる。その結果、例えば、魚のアタリに合わせて即座にモータ４による巻き上げ操作を行った場合でも、制動機構３０の発熱や摩滅を抑制できる。
【００３８】
［第２実施形態］
図３は、第２実施形態に係る電動リール２００の斜視図である。なお、図３では、前記実施形態と同様の構成は前記実施形態と同様の符号を付し、詳細な説明を省略する。
【００３９】
電動リール２００では、出力調整部材１１１がリール本体１０２の第１側カバー１０７側に回動可能に装着されている。また、モータ１０４は、スプール１０３の内部に配置されている。
電動リール２００は、往復移動機構５０と、ワンウェイクラッチ１２０と、制動機構１３０と、操作部材１４０と、を備えている。
【００４０】
往復移動機構５０は、スプール１０３に釣り糸を均一に巻きつけるための機構であり、スプール１０３の回転に同期して軸方向に往復移動するように構成されている。往復移動機構５０は、スプール１０３の前方に設けられている。往復移動機構５０については、従来と同様の構成であるため、詳細な説明を省略する。
【００４１】
ワンウェイクラッチ１２０は、図４に示すように、往復移動機構５０を構成するトラバースカム軸５１に装着されている。ワンウェイクラッチ１２０は、スプール１０３の糸繰り出し方向の回転に同期するトラバースカム軸５１の回転のみを伝達する。
【００４２】
ワンウェイクラッチ１２０は、外輪１２１と、複数の転動体１２２と、内輪１２３と、を有している。本実施形態では、転動体１２２は、スプール１０３の糸繰り出し方向の回転に同期するトラバースカム軸５１の回転のみを外輪１２１に伝達する。すなわち、転動体１２２は、スプール１０３の糸巻き取り方向の回転に同期するトラバースカム軸５１の回転を外輪２１に伝達しない。内輪１２３は、トラバースカム軸５１と一体的に回転する。
【００４３】
制動機構１３０は、ワンウェイクラッチ１２０の外輪１２１の糸繰り出し方向の回転に制動力を作用させる。制動機構１３０は、外輪１２１と操作部材１４０の軸方向間に配置された摩擦プレート１３１を有している。摩擦プレート１３１は、操作部材１４０の底部に配置されている。
【００４４】
操作部材１４０は、図３に示すように、スプール１０３を挟んでハンドル１０５と逆側のリール本体１０２に設けられている。本実施形態では、操作部材１４０は、第２側カバー１０８の前部に設けられている。操作部材１４０は、リール本体１０２に回動可能に装着されており、回動により軸方向に移動する。これにより、摩擦プレート１３１が外輪１２１を押圧する押圧力が変化する。すなわち、外輪１２１に作用する制動力が変化する。
【００４５】
上記構成の電動リール２００では、トラバースカム軸５１に装着されたワンウェイクラッチ１２０の糸巻き取り方向に対応する回転が制動機構１３０によって制動される。一方、ワンウェイクラッチ１２０の糸巻き取り方向に対応する回転は、制動機構１３０によって制動されないため、糸巻き上げ時のスプール１０３に作用する回転抵抗を抑制することができる。
【００４６】
＜他の実施形態＞
以上、本発明の一実施形態について説明したが、本発明は上記実施形態に限定されるものではなく、発明の要旨を逸脱しない範囲で種々の変更が可能である。
【００４７】
＜その他の実施形態＞
（ａ）前記実施形態におけるワンウェイクラッチ２０において、内輪をさらに設けてもよい。
【００４８】
（ｂ）前記実施形態では、操作部材４０を調整部材３１に取り付けていたが、調整部材３１と操作部材４０を一体で形成してもよい。また、レバー形式でなく、ダイヤル式やスライドレバー式など、リールを把持する手の指で操作できるものであれば様式は問わない。また、操作部材１４０を、操作部材４０のように径方向に延びたレバー状に形成してもよい。
【符号の説明】
【００４９】
２  リール本体
３  スプール
４，１０４  モータ
５  ハンドル
１０  スプール軸
１１，１１１  出力調整部材
２０，１２０  ワンウェイクラッチ
２１，１２１  外輪
３０，１３０  制動機構
３１  調整部材
３２，３３，１３２  摩擦プレート
３４  付勢部材
４０，１４０  操作部材
５０  往復移動機構
５１  トラバースカム軸
１００，２００  電動リール
【図１】
2019146497.tif 000003
【図２】
2019146497.tif 000004
【図３】
2019146497.tif 000005
【図４】
2019146497.tif 000006